(57)【特許請求の範囲】
【請求項１】
遊技盤保持枠とこの遊技盤保持枠に取付けられる遊技盤とを有する遊技機において、
前記遊技盤保持枠に夫々装備されて前記遊技盤の端部を固定保持する１対のクランプを備え、
前記クランプは、ベース部材と、このベース部材に第１枢支ピンで連結されたクランプ部材と、このクランプ部材に第２枢支ピンで連結された操作部材と、この操作部材に設けた第３枢支ピンと前記ベース部材に設けた第４枢支ピンとを連結する連結部材とを備え、
前記クランプ部材に前記遊技盤の端部の前面を押圧する為のクランプ部を設けると共に、前記クランプ部材をクランプ位置に切換えた状態において前記クランプ部を遊技盤押圧側へ付勢する弾性部材を設け、
この弾性部材を介して前記遊技盤の厚さのばらつきを吸収可能に構成したことを特徴とする遊技機。
【発明の詳細な説明】
【技術分野】
【０００１】
本発明は、遊技盤を遊技盤保持枠にクランプにより固定保持するようにした遊技機に関する。
【背景技術】
【０００２】
パチンコ遊技機は、支持枠と、この支持枠に開閉自在に装着される扉体とを有し、扉体は、遊技盤が取り付けられる遊技盤保持枠と、遊技盤の前面側を覆う透明板が取り付けられる透明板保持枠とを有する。
【０００３】
遊技盤の前面には、多数の釘、風車、ゲート、種々の入賞口や１又は複数の役物類が付設され、遊技盤の中央部に臨む画像表示装置が装備され、遊技盤の背面側には、遊技球を検出する種々のスイッチ類を含む付属機器と種々の制御基板とが装備され、遊技盤とその付属機器と制御基板類は合成樹脂製の液晶ベースとカバーケースとに収容した遊技盤ユニットにユニット化されている。
【０００４】
特許文献１には、遊技盤を保持する保持枠体に遊技盤を１対のクランプを用いて固定する構造が開示されている。前記クランプは、保持枠体の左辺部に固定されたブラケットと、このブラケットにピン部材を介して回動自在に枢支されたクランプ部材などを有する。  遊技盤を前方から保持枠体に組み付けて遊技盤の端部の後面を保持枠体で受け止め、クランプ部材を回動させてクランプ部材の表面当接部で遊技盤の端部の前面を押えると共にクランプ部材の側面当接部で遊技盤の端部の側面を押え、その後ロック部材を倒して係止部に係止させることで、クランプ部材をロック状態に保持する。
【０００５】
遊技盤は通常木製の厚手の合板製であるが、遊技盤の厚さには±０．５ｍｍ程度のばらつきが発生する。しかし、特許文献１のクランプを含めて従来のクランプでは、上記遊技盤の厚さのばらつきを吸収する機能が不備であったため、組み立て後の遊技盤が保持枠体に対してがたつく場合があり、遊技盤の組み付け性の低下要因となっていた。
【０００６】
前記遊技盤を固定するクランプとして上下１対のトグルクランプを採用する場合もあるが、遊技盤ユニットの組み付け時に、アンクランプ状態のクランプのクランプ部材を所期の姿勢に保持できなかったため、遊技盤ユニットの組み付けに多大の労力を要していた。
【先行技術文献】
【特許文献】
【０００７】
【特許文献１】特開平９−３２２９７１号公報
【発明の概要】
【発明が解決しようとする課題】
【０００８】
従来技術は、遊技盤の組み付け性を高めにくいという問題があった。
【０００９】
そこで、本発明は、遊技盤の組み付け性を高めることを目的とする。
【課題を解決するための手段】
【００１０】
本発明に係る遊技機は、遊技盤保持枠(4)とこの遊技盤保持枠(4)に取付けられる遊技盤(20)とを有する遊技機(1)において、前記遊技盤保持枠(4)夫々装備されて遊技盤(20)の端部を固定保持する１対のクランプ(53)を備え、前記クランプ(53)は、ベース部材(54)と、このベース部材(54)に第１枢支ピン(58)で連結されたクランプ部材(55)と、このクランプ部材(55)に第２枢支ピン(59)で連結された操作部材(56)と、この操作部材(56)に設けた第３枢支ピン(60)と前記ベース部材(54)に設けた第４枢支ピン(61)とを連結する連結部材(57)とを備え、前記クランプ部材(55)に前記遊技盤(20)の端部の前面を押圧する為のクランプ部を設けると共に、前記クランプ部材をクランプ位置に切換えた状態において前記クランプ部(66)を遊技盤押圧側へ付勢する弾性部材(57A) を設け、この弾性部材(57A) を介して前記遊技盤(20)の厚さのばらつきを吸収可能に構成したことを特徴としている。
【発明の効果】
【００１６】
本願発明によれば、遊技盤の組み付け性を高めることができる。
【図面の簡単な説明】
【００１７】
【図１】本発明の実施例１に係る遊技機の斜視図である。
【図２】遊技機（透明板保持枠開状態、遊技盤ユニット未装着状態）の斜視図である。
【図３】遊技盤保持枠に装備された下部機器ユニットの前面側の斜視図である。
【図４】遊技盤保持枠に装備された下部機器ユニットの背面側の斜視図である。
【図５】遊技盤保持枠（遊技盤ユニット未装着状態）の斜視図である。
【図６】遊技盤保持枠と遊技盤ユニットの分解斜視図である。
【図７】遊技盤ユニットの前面側の斜視図である。
【００１８】
【図８】遊技盤ユニットの背面側の斜視図である。
【図９】遊技盤保持枠に遊技盤ユニットを装着した状態の背面側の斜視図である。
【図１０】遊技盤保持枠の正面図である。
【図１１】図１０のＡ部の斜視図である。
【図１２】遊技盤保持枠（遊技盤ユニット装着状態）の正面図である。
【図１３】遊技盤保持枠（遊技盤ユニット装着状態）の平面図である。
【図１４】遊技盤ユニットの要部の背面図である。
【図１５】遊技機の制御系のブロック図である。
【００１９】
【図１６】トグルクランプ（アンクランプ状態）の斜視図である。
【図１７】トグルクランプ（アンクランプ状態）の側面図である。
【図１８】トグルクランプ（クランプ直前状態）の側面図である。
【図１９】トグルクランプ（クランプ状態）の斜視図である。
【図２０】トグルクランプ（クランプ状態）の側面図である。
【図２１】トグルクランプのリンク部材兼用のスプリング部材の斜視図である。
【図２２】前記スプリング部材の側面図である。
【図２３】前記スプリング部材の平面図である。
【図２４】遊技盤保持枠に遊技盤ユニットを組み付ける初期状態を示す平面図である。
【図２５】遊技盤ユニットを前記初期状態からトグルクランプまで移動させる状態を示す概略側面図である。
【００２０】
【図２６】遊技盤ユニットを遊技盤保持枠に組み付けたクランプ直前状態の概略側面図である。
【図２７】遊技盤ユニットを遊技盤保持枠に組み付けたクランプ状態の概略側面図である。
【図２８】遊技盤保持枠側の下部機器ユニットの平面図である。
【図２９】下部機器ユニットのコネクタ取り付け部の正面図である。
【図３０】下部機器ユニットのコネクタ取り付け部の斜視図である。
【００２１】
【図３１】コネクタを取り外した状態のコネクタ取り付け部の斜視図である。
【図３２】コネクタ取り付け部の背面側の斜視図である。
【図３３】図１４のＳ−Ｓ線断面図である。
【図３４】遊技盤ユニットのコネクタ取り付け部の背面側斜視図である。
【図３５】第１枠側コネクタの斜視図である。
【図３６】第１枠側コネクタの背面側斜視図である。
【図３７】コネクタ保持体に装着状態の第２枠側コネクタの斜視図である。
【００２２】
【図３８】コネクタ保持体に装着状態の第２枠側コネクタの背面側斜視図である。
【図３９】第２枠側コネクタとコネクタ保持体の斜視図である。
【図４０】第２枠側コネクタとコネクタ保持体の背面側斜視図である。
【図４１】実施例２に係る遊技盤保持枠とそれに装着した遊技盤の斜視図である。
【図４２】トグルクランプの斜視図である。
【図４３】トグルクランプの斜視図である。
【図４４】トグルクランプの側面図である。
【図４５】トグルクランプの正面図である。
【発明を実施するための形態】
【００２３】
本発明を実施する為の形態について、実施例に基づいて説明する。
但し、実施例においては、図１に示す前後左右を前後左右として説明する。
【実施例１】
【００２４】
本実施例に係るパチンコ遊技機１について図面に基づいて説明する。
図１、図２に示すように、遊技機１は、支持枠２と、この支持枠２に鉛直軸心回りに回動可能に枢支された開閉扉３とを備えている。開閉扉３は、遊技盤保持枠４と、この遊技盤保持枠４を前方から覆う透明板保持枠５とで構成されている。透明板保持枠５の右辺部５ｄの下部にはキーシリンダ６が装備され、このキーシリンダ６に挿入するキーの操作を介して、遊技盤保持枠４と透明板保持枠５の両者を開位置に切換えたり、透明板保持枠５のみを開位置に切換えたりすることができる。
【００２５】
図１に示すように、透明板保持枠５の前面には、遊技球を発射する為の操作ハンドル７、払い出された賞球や貸球を溜める上皿８、複数の装飾ランプが内蔵された発光装飾部９ａ，９ｂ、装飾部材１０が固定されている。装飾部材１０の後面側にはスピーカが組み込まれている。透明板保持枠５には遊技盤保持枠４に固定された遊技盤２０の前面を覆う透明板１１が固定されている。透明板１１は透明なガラス板製であるが、透明な合成樹脂板でもよい。
【００２６】
遊技盤２０の前面の遊技領域には、複数の障害釘や風車、遊技球が入球可能な種々の入賞口、演出用の役物等が設けられており、遊技盤２０の中央部分に大きく形成された開口部２０ｃの後方には演出用の画像表示装置２２が設けられている（図１２参照）。透明板保持枠５と遊技盤保持枠４が閉じられて遊技が可能な状態では、遊技盤２０の前面側に所定の間隔を維持する状態で透明板１１がほぼ平行に対面し、遊技盤２０の前面が透明板１１により覆われる。
【００２７】
遊技盤２０に設けた種々の入賞口や役物等について説明する。
図１〜図３、図１２に示すように、上皿８内に遊技球があるとき操作ハンドル８と連携動作する発射装置１２から０．６秒間隔で発射された遊技球は、ガイドレール２３ａ，２３ｂ間を上昇して遊技盤２０の上部に達した後遊技盤２０の前面の遊技領域内を落下する。このとき、遊技領域の複数の障害釘や風車により遊技球は不規則に方向変換される。
【００２８】
図１２に示すように、上記遊技領域の種々の入賞口として、複数の普通入賞口２４、遊技領域の下部に設けられた第１始動口２５、第１始動口２５（第１始動領域）の直下に設けられた第２始動口２６（第２始動領域）、大入賞口２７、ゲート等が設けられている。  第２始動口２６は１対の可動片を有し、これら可動片が閉じた第１の態様とこれら可動片が開いた第２の態様とに可変制御される。上記の種々の入賞口は、通常のパチンコ遊技機のものと同様のものである。
【００２９】
大入賞口２７は、通常は大入賞口開閉扉２７ａにより閉状態に維持され、特別遊技状態では、大入賞口開閉扉２７ａが開閉動作を複数回繰り返す。尚、遊技領域の最下部には何れの入賞口にも入賞しなかった遊技球を排出する為の排出口２８が設けられている。
【００３０】
図１２に示すように、遊技盤２０の遊技領域のほぼ中央部分のやや後方には画像表示装置２２（液晶表示器）が設けられており、この画像表示装置２２の少なくとも上方と下方には演出用の可動役物装置（図示略）が設けられ、遊技盤２０の上部と下部には演出用の複数のＬＥＤ（盤ランプ）が設けられている。透明板保持枠５の前面において操作ハンドル７の左斜め上方の演出操作部１３には、遊技者が操作可能な演出ボタン１３ａと５つの操作スイッチ１３ｂ，１３ｃが設けられ、その演出ボタン１３ａの操作は、画像表示装置２２に演出ボタン１３ａの操作を促すメッンセージが表示された場合のみ有効である。
【００３１】
図１２に示すように、遊技領域の左下側には、複数のＬＥＤからなる遊技表示盤１４（第１特別図柄表示器、第２特別図柄表示器、普通図柄表示器、第１保留表示器、第２保留表示器、普通図柄保留表示器、高確率状態表示器、時短状態表示器等を含む）が設けられている。遊技盤２０の背面側には、図１５の制御系のブロック図に示すように、種々の入賞口等への入賞を検出する検出スイッチ類などが設けられている。
【００３２】
図１、図２に示すように、支持枠２は、上板２ａと下板２ｂと左側板２ｃと右側板２ｄを有する矩形状のアルミニウム製の枠体であるが、合成樹脂製の枠体も採用可能である。尚、上板２ａはアルミニウム製部材の溝部に補強木材を装着してある。これらの板部材２ａ〜２ｄは、略長方形状の内側空間を形成するように連結金具２ｅ〜２ｇ等により連結されている。
【００３３】
これら連結金具２ｅ〜２ｇのうち、上板２ａと左側板２ｃを連結する連結金具２ｅにはヒンジ金具１５が形成され、下板２ｂの上端に固定された連結金具にはヒンジ金具１５が形成され、上下１対のヒンジ金具１５が遊技機１の前面側に突出して上下に対面するように一体形成されている。これら１対のヒンジ金具１５には開閉扉３が鉛直軸心回りに回動可能に枢支され、開閉扉３は支持枠２に開閉可能に支持されている。
【００３４】
図５、図１０に示すように、遊技盤保持枠４は、上辺部４ａと下辺部４ｂと左辺部４ｃと右辺部４ｄとを有する合成樹脂製の枠体であり、この遊技盤保持枠４には上記の４辺部で囲繞される略矩形状の内側開口１６であって、遊技盤ユニット２０Ａを挿入装着する為の内側開口１６が形成されている。上辺部４ａには遊技盤２０の上端部の背面を受け止めて前後方向に位置決めする受け面１７が形成されている。
【００３５】
上記の下辺部４ｂには遊技盤２０よりも下方へ延びる機器取付け部２９が一体形成され、この機器取付け部２９には下部機器ユニット３０が固定されている。下部機器ユニット３０には遊技盤２０の下端部の背面を受け止めて前後方向に位置決めする受け面１８と遊技盤２０の下端を受け止めて上下方向に位置決めする受け面１９が形成されている。
【００３６】
下部機器ユニット３０の前面側には発射装置１２が装備され、下部機器ユニット３０の後面側には、電源制御基板を収納したケース、払い出し制御基板を収納したケース、払い出し機構の一部が設けられている。上記の左辺部４ｃは、側板４ｅと、この側板４ｅの後端から右方へ所定幅延びる後面板４ｆとを有する。側板４ｅの外面側凹部には補強用の金属部材が固定されている。上記の後面板４ｆの背面側には払い出し機構３１の主要部が装着されている。上辺部４ａには、球タンク３２や球通路が設けられている（図２参照）。
【００３７】
遊技盤保持枠４の左辺部４ｃの上端（上辺部４ａの左端部）と下端（下辺部４ｄの左端部）には前方へ突出する１対のヒンジ板３３が固定的に設けられ、この１対のヒンジ板３３が１対のヒンジ金具１５に鉛直の１対のヒンジピン１５ａを介して回動自在に連結されている。透明板保持枠５の左辺部５ａの上端部と下端部には剛性のある枢支部（図示略）が一体形成され、これら１対の枢支部が１対のヒンジピン１５ａに回動可能に連結されている。
【００３８】
図２に示すように、透明板保持枠５は、遊技盤保持枠４と同様に、上辺部５ａと下辺部５ｂと左辺部５ｃと右辺部５ｄとを有する略長方形状の内側空間を形成する枠体からなり、透明板保持枠５は合成樹脂製のものであるが、その背面には金属製の補強枠（図示略）が固定されている。開閉扉３が閉位置のとき、遊技盤保持枠４の上辺部４ａの一部は支持枠２の上板２ａに内嵌状態になり、遊技盤保持枠４の上辺部４ａの大部分と左辺部４ｃと右辺部４ｄには透明板保持枠５が外嵌した状態になる。透明板保持枠５の上下長は支持枠２の上下長よりも短く形成されており、支持枠２の下板２ｂが遊技機１の正面に露出しており、その下板２ｂの前面に装飾部材３４が固定されている。
【００３９】
次に、パチンコ遊技機１の制御系について簡単に説明する。
図１５に示すように、制御装置４０は、遊技制御基板４１、払出制御基板４２、演出制御基板４３、画像制御基板４４、ランプ制御基板４５を備え、これら制御基板４１〜４５は夫々ＣＰＵとＲＯＭとＲＡＭを含むコンピュータを備えており、演出制御基板４３はＲＴＣ（リアルタイムクロック）を備えている。
【００４０】
遊技制御基板４１のコンピュータは、第１，第２始動口ＳＷ４１ａ，４１ｂ、ゲートＳＷ４１ｄ、大入賞口ＳＷ４１ｅ、通常領域ＳＷ４１ｉ、特定領域ＳＷ４１ｊ、複数の一般入賞口ＳＷ４１ｋからの信号と、払出制御基板４２からの制御情報を受けて、第２始動口ＳＯＬ４１ｃ、大入賞口ＳＯＬ４１ｆ、図柄表示器４１ｍ〜４１ｏ、図柄保留ランプ４１ｐ〜４１ｒ、右打ちランプ４１ｓを制御し、払出制御基板４２、演出制御基板４３に制御情報（コマンド）を出力する。
【００４１】
払出制御基板４２のコンピュータは、遊技制御基板４１からの制御情報、払出球検出ＳＷ４２ｂ、球有り検出ＳＷ４２ｃ、満タン検出ＳＷ４２ｄからの信号を受けて、払出モータ４２ａを制御し、遊技制御基板４１に制御情報を出力する。演出制御基板４３のコンピュータは、遊技制御基板４１、画像制御基板４４、ランプ制御基板４５からの制御情報、演出操作装置１３（ＳＷ１３ａ，１３ｂ，１３ｃ）からの信号を受けて、画像制御基板４４、ランプ制御基板４５に制御情報を出力する。画像制御基板４４のコンピュータは、画像表示装置２２（液晶表示器）及びスピーカ４４ａを制御する。
【００４２】
次に、遊技盤取付け構造５０について説明する。  
この遊技盤取付け構造５０は、遊技盤保持枠４に遊技盤２０を着脱可能に取り付ける構造であり、この遊技盤２０の取り付け時に、遊技盤２０は遊技盤ユニット２０Ａに組み込んだ形態で取り付けられる。遊技盤取付け構造５０は、遊技盤保持枠４と、１対の係合部材５１と、１対の板バネ部材５２と、１対のトグルクランプ５３とを備えている。
【００４３】
図６〜図１３に示すように、遊技盤ユニット２０Ａは、遊技盤２０と、この遊技盤２０の後面に固定される合成樹脂製の液晶ベース２０Ｂ（４辺の周壁２１ａと枠状の後面壁２１ｂを有する）と、この液晶ベース２０Ｂの後面壁２１ｂに後方から固定され且つ画像表示装置２２と画像制御基板４４を収納した液晶ユニット２２Ａと、液晶ユニット２２Ａの後面に固定された基板ケース４０ａ等を備えている。
【００４４】
液晶ユニット２２Ａに収納された画像表示装置２２は、液晶ベース２０Ｂの後面壁２１ｂの矩形の開口２１ｃに画面を露出させる状態にして後面壁２１ｂに固定され、その画面を遊技盤２０の中央開口２０ｃを通して見ることができる。基板ケース４０ａ内には、遊技制御基板４１と演出制御基板４３とランプ制御基板４５とを夫々収納した複数のケースが収納されている。
【００４５】
図１０、図１１に示すように、遊技盤保持枠４の左辺部４ｃの上部と下部には、右方へ突出する所定の上下幅のある１対の係合部材５１であって遊技盤２０の左端部を保持可能な係合部材５１が夫々一体的に形成されている。係合部材５１は左辺部４ｃの側板４ｅを増厚した側壁部５１ａと、この側壁部５１ａの前端から左方へ延びる係合壁部５１ｂとで平面視Ｌ形に形成されている。係合壁部５１ｂと後面板４ｆとの間に遊技盤２０の厚さより僅かに大きな受容隙間５１ｇであって遊技盤２０の左端部を受容可能な受容隙間５１ｇが形成されている。
【００４６】
係合壁部５１の後面には遊技盤２０の左端部の前面を受け止めて位置決めする受け面５１ｃが形成され、係合壁部５１ｂの右半部分の後面には右方程前方へ移行するように傾斜した傾斜面５１ｄが形成されている。この傾斜面５１ｄは、図２４に示すように遊技盤２０の左端部を受容隙間５１ｇに斜め方向から導入可能にするものである。
側壁部５１ａの上下両側には、遊技盤２０の左端面を受け止めて遊技盤２０の左右方向位置を位置決めする為の当接片５１ｈが一体形成され、これら当接片５１ｈの右端には遊技盤２０の左端面を受け止める鉛直な受け面５１ｆが形成されている。
【００４７】
図１０、図１１に示すように、上側の係合部材５１のやや上方部位には板バネ部材５２が固定されている。この板バネ部材５２は、左右方向に細長の矩形状で横長姿勢に配設されている。板バネ部材５２は、左端部分の平板状の固定部５２ａと、この固定部５２ａから右方へ延びる平面視にて円弧形の弾性部５２ｂと、この弾性部５２ｂの右端から右方へ連なる平板状の当接部５２ｃとを有し、固定部５２ａが左辺部４ｃの後面板４ｆの左端部にビスで固定されている。遊技盤２０を遊技盤保持枠４に装着しない状態において、当接部５２ｃは左辺部４ｃの後面板４ｆに形成された受止部５２ｄの前端面に接近対向している。下側の係合部材５１のやや上方部位にも、上記と同様に板バネ部材５２が設けられている。
【００４８】
遊技盤２０の左端部を受容隙間５１ａに導入して遊技盤２０を遊技盤保持枠４に装着して固定した状態においては、当接部５２ｃを受止部５２ｄの前端面に当接させ、円弧形の弾性部５２ｂにより遊技盤２０を前方へ押圧することで受け面５１ｃを介して遊技盤２０の前後方向に位置決めし、遊技盤２０と係合部材５１と左辺部４ｃとの間にガタつきが生じないように構成してある。
【００４９】
次に、トグルクランプ５３について説明する。
図１６〜図２３に示すように、遊技盤保持枠４の上辺部４ａの右端寄り部位と下辺部４ｂの右端寄り部位に、上下１対のトグルクランプ５３が夫々設けられ、遊技盤２０の上端部と下端部を遊技盤保持枠４に固定保持するように構成してある。図示のトグルクランプ５３は、遊技盤保持枠４の上辺部４ａに固定される方のトグルクランプ５３を示すもので、このトグルクランプ５３を例として説明する。尚、遊技盤保持枠４の下辺部４ｂに固定される方のトグルクランプ５３自体は、図示のトグルクランプ５３と上下に対称のものであるので、そのトグルクランプ５３についての詳しい説明は省略する。
【００５０】
トグルクランプ５３は、ベース部材５４と、このベース部材５４に第１枢支ピン５８で連結されたクランプ部材５５と、このクランプ部材５５に第２枢支ピン５９で連結された操作部材５６と、この操作部材５６に設けた第３枢支ピン６０とベース部材５４に設けた第４枢支ピン６１とを連結するリンク部材５７（つまり、操作部材５６とベース部材５４を連結するリンク部材５７）とを備えている。ベース部材５４とクランプ部材５５と操作部材５６は、夫々、鋼板を打ち抜いて折り曲げ加工したものである。
【００５１】
ベース部材５４は、矩形状の基板部５４ａと、この基板部５４ａの左右両端から前方へ９０°折曲された左右１対の側板部５４ｂとを備え、コ字状に形成されている。基板部５４ａには複数のビス穴５４ｃが形成され、このベース部材５４ａは、複数のビスで遊技盤保持枠４の上辺部４ａに固定されている。上記の側板部５４ｂは、下腕部６２と上腕部６３とを有する。クランプ部材５５は、基板部５５ａと、この基板部５５ａの左右両端からベース部材５４と反対方向へ９０°折曲された左右１対の側板部５５ｂとを備えている。クランプ部材５５は遊技盤２０の端部を導入する導入部６４を有する一体部材に構成され、側面視略コ字状に構成されている。
【００５２】
クランプ部材５５の左右の側板部５５ｂには図２０における導入部６４の後端側に位置する左右１対の操作用突起部６５が形成されている。この操作用突起部６５は後述するように、遊技盤２０を取り付ける際に遊技盤２０で押動操作されるものであり、この操作用突起部６５の先端部の導入部６４側の面は丸みを付けて部分円筒面に形成されている。クランプ部材５５の左右の側板部５５ｂには図２０において導入部６４の前側に位置し且つ遊技盤２０を押圧するクランプ部６６が形成されている。このクランプ部６６は、左右の側板部５５ｂの一部を相接近側へ折曲することで剛性のある角筒状に形成されている。この角筒状のクランプ部６６の先端から突出する操作部６６ａであって、アンクランプ状態のクランプ部材５５を手で操作する為の操作部６６ａも形成されている。
【００５３】
ベース部材５４の左右の側板部５４ｂの１対の下腕部６２をクランプ部材５５の左右の側板部５５ｂの外面に当接させた状態で、クランプ部材５５が１対の下腕部６２に左右方向向きの第１枢支ピン５８で回動自在に連結されている。
【００５４】
操作部材５６は、基板部５６ａと、この基板部５６ａの左右両端から９０°折曲されて図２０において後方へ延びてから下方へ「く」字状に延びる左右の側板部５６ｂとで一体部材に形成されている。基板部５６ａの上端部から突出する操作部５６ｃも形成されている。操作部材５６は、その１対の側板部５６ｂの先端部をクランプ部材５５の左右の側板部５５ｂの外面に当接させた状態で左右方向向きの第２枢支ピン５９でクランプ部材５５に回動自在に連結されている。
【００５５】
操作部材５６の左右の側板部５６ｂの途中部には左右方向向きの第３枢支ピン６０が装着され、ベース部材５４の上腕部６３には左右方向向きの第４枢支ピン６１が装着され、第３枢支ピン６０と第４枢支ピン６１とを連結する１つのリンク部材５７が設けられ、このリンク部材５７は一端部が第３枢支ピン６０に回動可能に連結され且つ他端が第４枢支ピン６１に回動可能に連結されたスプリング部材５７Ａで構成されている（図２１〜図２３参照）。
【００５６】
図２１、図２２に示すように、スプリング部材５７Ａの一端部には第３枢支ピン６０に約２回転程度巻き付いた第１環状部５７ａが形成され、この第１環状部５７ａの上面側から第４枢支ピン６１の下面まで延びる第１直線部５７ｂと、第１環状部５７ａの下面側から第４枢支ピン６１の上面にまで延びる第２直線部５７ｃと、第１直線部５７ｂの他端部に一体的に形成され第４枢支ピン６１に約２，３回転巻き付けた第２環状部５７ｄと、第２直線部５７ｃの他端部に一体的に形成され第４枢支ピン６１に約２，３回転巻き付けた第３環状部５７ｅとが形成されている。
【００５７】
第１，第２直線部５７ｂ，５７ｃは第３，第４枢支ピン６０，６１と平行方向から側面視で視て交差状に形成され、スプリング部材５７Ａは側面視で視て「８」の字的な形状に形成されている（図２２参照）。尚、第１，第２直線部５７ｂ，５７ｃの側面視における交差角は約３０〜５０°（好ましくは、約４０°）である。第２，第３環状部５７ｄ，５７ｅは第４枢支ピン６１の軸方向に互いに離隔しており、第１，第２直線部５７ｂ，５７ｃは平面視にて第１環状部５７ａを頂点とするＶ形に形成されている（図２３参照）。
【００５８】
スプリング部材５７Ａの第１，第２直線部５７ｂ，５７ｃが交差状で且つ平面視にてＶ形になっているため、スプリング部材５７Ａは第３，第４枢支ピン６０，６１を結ぶ方向に弾性的に圧縮変形可能であり、図２０に示すように、第３枢支ピン６０が第２，第４枢支ピン５９，６１を結ぶ直線Ｂよりも第１枢支ピン５８側（又はベース部材５４側）に位置するロック状態（クランプ状態）のとき、スプリング部材５７Ａは前記直線Ｂの方向に僅かに圧縮弾性変形した状態になっている。このように、クランプ部材５７Ａは、クランプ部６６を遊技盤押圧方向へ弾性付勢する「弾性部材」に相当するものである。尚、図２０に示す一点鎖線Ｃは、遊技盤保持枠４の上辺部４ａに形成した受け面１７であって遊技盤２０の上端部を受け止める受け面１７の位置を示すものである。
【００５９】
図１６、図１７はアンクランプ状態（アンクランプ位置）のトグルクランプ５３を示すもので、このアンクランプ状態のとき、クランプ部材５５が最大限上方へ回動し、導入部６４の前方が最大限開放された状態になる。トグルクランプ５３がアンクランプ状態のとき、第２枢支ピン５９が第１，第３枢支ピン５８，６０を結ぶ直線Ｄよりもベース部材５４側に位置しているため、このアンクランプ状態は安定した状態である。
【００６０】
それ故、遊技盤ユニット２０Ａの組み付け前の遊技盤保持枠４の搬送中に振動が作用してもアンクランプ状態を維持することができる。尚、アンクランプ状態からクランプ状態へ切換える際には、操作部材５６を上方へ回動操作することによりスプリング部材５７Ａの弾性変形と、枢支ピン５８〜６０の周辺の遊び隙間等を介して切換えが可能である。
尚、図２５に示すように、操作用突起部６５を後方へ押動することによっても切換え可能である。
【００６１】
図１８は、操作部材５６の操作部５６ｃを押圧操作しないクランプ直前状態のトグルクランプ５３を示し、この状態では、第３枢支ピン６０が前記直線Ｂよりも第１枢支ピン５８と反対側に位置している。この状態から、操作部材５６の操作部５６ｃを手で後方へ押圧操作すると、スプリング部材５７Ａの前記のような圧縮弾性変形を介して、第３枢支ピン６０が図１９、図２０に示すように、前記直線Ｂよりも第１枢支ピン５８側に移動して安定したクランプ状態になる。
【００６２】
クランプ状態にした時のクランプ部材５５の位置（つまり、クランプ部６６の位置）は、遊技盤２０の厚さのばらつき（約±０．５ｍｍ程度）に応じて変動するため一定位置になるとは限らない。しかし、厚手の合板製の遊技盤２０の厚さにばらつきがあっても、スプリング部材５７Ａの直線Ｂ方向への弾性変形を介して上記のばらつきを吸収可能になっている。尚、遊技盤２０の正規の厚さは例えば１９．０ｍｍである。
【００６３】
即ち、クランプ時にクランプ部６６の前後方向位置に僅かの変動があっても、操作部５６ｃを押圧操作すると、図２０に示すように、スプリング部材５７Ａの圧縮弾性変形を介して第３枢支ピン６０を前記直線Ｂよりも第１枢支ピン５８側に移動させて安定したクランプ状態にすることができる。このとき、スプリング部材５７Ａの圧縮弾性変形の弾性力によりクランプ状態保持機能が得られる。尚、スプリング部材５７Ａの直線Ｂ方向のバネ定数は非常に大きいため、スプリング部材５７Ａをリンク部材として機能させることが可能である。
【００６４】
このトグルクランプ５３においては、クランプ部材５５を一体形成した１部材にすることで部材数を低減し、軽量化と製作費の低減を図ることができた。また、リンク部材５７を鋼板を打ち抜いて製作する２つのリンク部材ではなく、特有の構造の１つのスプリング部材５７Ａであって１対のリンク部材として機能するスプリング部材５７Ａで構成し、従来のトグルクランプではリンク部材とは別にクランプ状態保持用に設けていた捩じりバネや板バネのような弾性部材を省略したので、部材数を低減し、軽量化と製作費の低減を図ることができた。しかも、図１７に示すように、アンクランプ状態のとき、第２枢支ピン５９が直線Ｄよりもベース部材５４側に位置しているため、アンクランプ状態を安定的に維持することができる。
【００６５】
次に、上記の遊技盤取付け構造５０を用いて遊技盤２０を含む遊技盤ユニット２０Ａを遊技盤保持枠２に取り付ける手順について、図２４〜図２７に基づいて説明する。
遊技盤保持枠４を組立用治具（図示略）に装着して閉じた状態にし且つ上下１対のトグルクランプ５３を図２５に示すようなアンクランプ状態（図１７と同様のアンクランプ状態）に保持した状態において、図２４に示すように、遊技盤２０を遊技盤保持枠４の前方から斜め姿勢（左端側よりも右端側を手前側に位置させた）にした遊技盤ユニット２０Ａを遊技盤保持枠４に近づけ、遊技盤ユニット２０Ａの後部約半分を遊技盤保持枠４の開口１６に挿入し、遊技盤２０の左端部を上下１対の係合部材５１に係合させ、遊技盤２０の左端部２０ｓを中心にして遊技盤ユニット２０Ａを後方（平面視にて反時計回り方向）へ回動させる。
【００６６】
すると、図２５に示すように、遊技盤２０の上端部が上側のトグルクランプ５３の導入部６４に接近すると共に遊技盤２０の下端部が下側のトグルクランプ５３の導入部６４に接近し、遊技盤２０の上端部と下端部で上下のトグルクランプ５３の操作用突起部６５を後方へ夫々押動する。また、これと並行して、遊技盤２０の左端面を上下１対の係合部材５１の所の当接片５１ｈの受け面５１ｆに当接させることで、左右方向に位置決めする。
【００６７】
その結果、図２６に示すように、上下のトグルクランプ５３のクランプ部材５５の姿勢がクランプ状態に近い姿勢に回動する。次に、上下のトグルクランプ５３の操作部材５６の操作部５６ｃを後方へ押動すると、遊技盤２０は図２７に示すようにクランプ状態（ロック状態）になる。このとき、遊技盤２０の上端部の一部は受け面１７で受け止められて前後方向に位置決めされ、遊技盤２０の下端部の一部は受け面１８で受け止められて前後方向に位置決めされ、遊技盤２０の下端は受け面１９で受け止められて上下方向に位置決めされる（図１０参照）。
【００６８】
上記の遊技盤取り付け構造５０を想到するに至った経緯について説明する。
遊技盤は通常木製の厚手の合板製であるが、遊技盤の厚さには±０．５ｍｍ程度のばらつきが発生する。しかし、特開平９−３２２９７１号公報のクランプを含めて従来のクランプでは、上記遊技盤の厚さのばらつきを吸収する機能が不備であったため、組み立て後の遊技盤が保持枠体に対してがたつく場合があり、遊技盤の組み付け性の低下要因となっていた。
【００６９】
前記遊技盤を固定するクランプとして上下１対のトグルクランプを採用する場合もあるが、遊技盤遊技盤ユニットの組み付け時に、アンクランプ状態のクランプのクランプ部材の姿勢を所期の姿勢に保持できなかったため、遊技盤ユニットの組み付け作業に多大の労力を要していた。
【００７０】
次に、本実施例のトグルクランプ５３及び遊技盤取付け構造５０の作用、効果について説明する。トグルクランプ５３におけるクランプ部材５５のクランプ部６６を遊技盤押圧側へ付勢する弾性部材５７Ａを介して遊技盤２０の厚さのばらつきを吸収可能に構成したため、遊技盤２０の厚さにばらつきがあってもトグルクランプ５３により遊技盤保持枠４への遊技盤２０の固定状態を確保できる。
【００７１】
クランプ部材５５が一体部材で構成され、リンク部材５７は、一端が第３枢支ピン６０に連結され、他端が第４枢支ピン６１に連結され且つ弾性部材として機能する１つのスプリング部材５７Ａで構成されたため、ドグルクランプ５３の部材数を大幅に低減し、軽量化を図り、製作費の低減を図ることができる。
【００７２】
リンク部材５７としてのスプリング部材５７Ａの１対の直線部５７ｂ，５７ｃは側面視で視て交差状に形成されているため、１対の直線部５７ｂ，５７ｃを圧縮する方向（図２０の直線Ｂ方向）へ弾性変形可能になる。このスプリング部材５７Ａの圧縮弾性変形によりクランプ状態保持機能を得ることができる。
【００７３】
遊技盤２０の組み付けに際して、トグルクランプ５３を図１７に示すようなアンクランプ状態に安定的に保持できるうえ、遊技盤２０の組み付け時、遊技盤２０の端部をアンクランプ状態のトグルクランプ５３の導入部６４に導入し、遊技盤２０で操作用突起部６５を後方へ押すことでクランプ部材５５をクランプ位置の近傍位置に切換えることができるため、遊技盤２０の組み付けを容易に能率的に行うことが可能になる。
【００７４】
次に、遊技盤ユニット２０Ａ側の複数の制御基板を含む種々の電気機器を、遊技盤保持枠４側の複数の制御基板を含む種々の電気機器に電気的に接続する複数のコネクタ７０Ａ，９０Ａ，７０Ｂ，９０Ｃとコネクタ取付構造について説明する。
【００７５】
図１０、図２８〜図３１に示すように、遊技盤保持枠４の下辺部４ｂに固定された下部機器ユニット３０の右端側の上端近傍部には、コネクタ取り付け部３０ａが設けられ、このコネクタ取り付け部３０ａの右半部には同構造の２つの第１枠側コネクタ７０Ａが設けられ、コネクタ取り付け部３０ａの左半部には同構造の２つの第２枠側コネクタ９０Ａが設けられている。第１枠側コネクタ７０Ａは上下方向に細長い形状を有する雌側コネクタであり、第２枠側コネクタ９０Ａは左右方向に細長い形状を有する雌側コネクタである。
【００７６】
図８に示すように、遊技盤ユニット２０Ａの右端側の下端近傍部の後面側のコネクタ取り付け部３０ｂには、上記の２つの第１枠側コネクタ７０Ａに接続される２つの第１盤側コネクタ７０Ｂと、上記の２つの第２枠側コネクタ９０Ａに接続される２つの第２盤側コネクタ９０Ｃが設けられている。第１，第２盤側コネクタ７０Ｂ，９０Ｃは雄側コネクタである。第１，第２枠側コネクタ７０Ａ，９０Ａは、図３６に示すようなリード線７０ａを介して遊技盤保持枠４側の種々の電気機器に接続され、第１，第２盤側コネクタ７０Ｂ，９０Ｃは遊技盤ユニット２０Ａの種々の電気機器に接続されている。
【００７７】
上記の第１，第２盤側コネクタ７０Ｂ，９０Ｃは、図２４に示すように遊技盤ユニット２０Ａを遊技盤保持枠４に前方から回動させつつ装着する装着動作に連動して第１，第２枠側コネクタ７０Ａ，９０Ｂに接続されるものである。
【００７８】
図２８〜図３１に示すように、コネクタ取り付け部３０ａは右方ほど後方へ移行する傾斜状に形成されており、コネクタ取り付け部３０ａの前面（つまり、コネクタ取付壁８０ａ，８０ｂ）と遊技盤２０の盤面（又は盤面と平行な面）とのなす平面視における角度αは約１０°である。第１，第２枠側コネクタ７０Ａ，９０Ａのピン穴の方向はコネクタ取り付け部３０ａの前面（コネクタ取付壁８０ａ，８０ｂ）と直交状に形成されている。
【００７９】
図３３に示すように、遊技盤ユニット０Ａのコネクタ取り付け部３０ｂは右方ほど後方へ移行する傾斜状に形成されており、コネクタ取り付け部３０ｂの後面（つまり、コネクタ取付壁８０ｃ）と遊技盤２０の盤面（又は盤面と平行な面）とのなす平面視における角度βは約１０°であり、角度βは角度αと等しい角度に設定されている。尚、第１，第２盤側コネクタ７０Ｂ，９０Ｃの端子ピンの方向はコネクタ取り付け部３０ｂの後面（コネクタ取付壁８０ｃ）と直交状に形成されている。
【００８０】
上記のように、第１，第２枠側コネクタ７０Ａ，９０Ａと第１，第２盤側コネクタ７０Ｂ，９０Ｃの接続方向を遊技盤２０の盤面と直交する方向に対して約１０°傾斜させた理由について説明する。図３３に示すように、遊技盤ユニット２０Ａにおいて、コネクタ取り付け部３０ｂは遊技盤２０から後方へ離隔し且つ遊技盤２０の左端部２０ｓから右方へ離隔した部位に設けられている関係上、図２４に示すように、遊技盤ユニット２０Ａを遊技盤保持枠４に取り付ける際に、遊技盤２０の左端部２０ｓを遊技盤保持枠４の左辺部４ｃの係合部材５１に係合保持した状態で、遊技盤２０の左端部２０ｓを中心として遊技盤２０を円弧ラインＲの方向へ回動させる（つまり、平面視にて反時計回り方向へ回動させる）。
【００８１】
このとき、第１，第２枠側コネクタ７０Ａ，９０Ａと第１，第２盤側コネクタ７０Ｂ，９０Ｃが接続される時の接続方向（端子ピンやピン穴の方向）は、コネクタ取り付け部３０ａ，３０ｂの所の円弧ラインＲと平行方向になるので、上記の接続方向を遊技盤２０の盤面と直交する方向に対して約１０°傾斜させてある。ここで、上記の傾斜角（約１０°）は一例であり、遊技盤２０に対するコネクタ取り付け部３０ｂの前後方向の離隔距離とコネクタ取り付け部３０ｂの遊技盤２０の左端部２０ｓからの離間半径に応じて前記傾斜角（盤面に直交する方向に対する傾斜角）を適切に設定するものとする。
【００８２】
次に、第１枠側コネクタ７０Ａと第１盤側コネクタ７０Ｂについて説明する。
図２８〜図３２、図３５、図３６に示すように、第１枠側コネクタ７０Ａのコネクタ本体７１は、所定の前後長を有し、コネクタ本体７１の前面には、第１盤側コネクタ７０Ｂの複数の端子ピンを挿入して電気的に接続する為の複数（例えば１２）のピン穴７１ａが
コネクタ取り付け部３０ａのコネクタ取付壁８０ａと直交する方向向きに形成されている。コネクタ本体７１には、その上端部と下端部から上方と下方へ夫々突出するビス穴形成部７３が一体形成されている。
【００８３】
コネクタ取り付け部３０ａの右半部のコネクタ取付壁８０ａには、コネクタ本体７１を挿通させる開口８１と、上下１対のビス穴８２が形成されている。第１枠側コネクタ７０Ａのコネクタ本体７１は開口８１に遊嵌状に挿通し、上下のビス穴形成部７３がコネクタ取付壁８０ａの前面に接近対向するように配設されている。第１枠側コネクタ７０Ａは、コネクタ取付壁８０ａに第１可動取付け機構７２を介してコネクタ取付壁８０ａと平行方向における上下方向と左右方向に可動に取り付けられている。
【００８４】
この第１可動取付け機構７２は、上下のビス穴形成部７３に夫々形成された前後方向向きの円形のビス穴７３ａと、これらビス穴７３ａの直径よりも小径の１対の取付けビス７４であってビス穴７３ａに挿通されてビス穴８２に螺合にて固定された１対の取付けビス７４とを備えている。取付けビス７４の頭部は、ビス穴７３ａの前端周囲の環状面７３ｂとの間に微小隙間を空けて対面している。それ故、第１枠側コネクタ７０Ａは前後方向へは移動することなく、１対の取付けビス７４に対する１対のビス穴７３ａの移動を許容することで、コネクタ取り付け部３０ａのコネクタ取付壁８０ａと平行な面内において上下方向と左右方向に可動に取り付けられている。
【００８５】
図３４に示すように、第１盤側コネクタ７０Ｂはコネクタ取り付け部３０ｂから後方へ突出するようにコネクタ取り付け部３０ｂに固定的に設けられている。第１盤側コネクタ７０Ｂは、複数の端子ピン８３とケース部材８４とを有し、ケース部材８４の上下両端部のフランジ部８４ａが取り付けビスでコネクタ取り付け部３０ｂに固定されている。
【００８６】
第１枠側コネクタ７０Ａと第１盤側コネクタ７０Ｂを接続する際に、これら両者を整列させるように案内する次のような案内機構７５が設けられている。第１枠側コネクタ７０Ａのコネクタ本体７１の上端部と下端部には、ピン穴７１ａの前端よりも前方へ突出する突出部７６，７７が形成され、上側の突出部７６の上半部には前方下りに傾斜した傾斜面７６ａが形成され、この上側の突出部７６の左右両端には前方へいく程相接近するように傾斜した１対の傾斜面７６ｂが形成されている。
【００８７】
下側の突出部７７の下半部には前方上がり傾斜状の傾斜面７７ａが形成され、この下側の突出部７７ａの左右両端には前方へいく程相接近するように傾斜した１対の傾斜面７７ｂが形成されている。尚、ピン穴形成領域の左右両端部にも、１対の傾斜面７１ｂが形成されている。第１盤側コネクタ７０Ｂのケース部材８４の筒状ケース８４ｂの後端縁は、内側程前側へ移行するような傾斜面８４ｃに形成されている。
【００８８】
第１枠側コネクタ７０Ａに第１盤側コネクタ７０Ｂを接続する際に、傾斜面７６ａ，７６ｂ，７７ａ，７７ｂ，８４ｃの案内作用で、第１盤側コネクタ７０Ｂのケース部材８４を第１枠側コネクタ７０Ａのコネクタ本体７１に整列させ、複数の端子ピン８３を複数のピン穴７１ａに整列させ、筒状ケース８４ｂをコネクタ本体７１に外嵌させつつ、複数の端子ピン８３を複数のピン穴７１ａに挿入して円滑に接続することができる。
つまり、前記案内機構７５は、コネクタ本体７１と、傾斜面７６ａ，７６ｂ，７７ａ，７７ｂ，８４ｃと、ケース部材８４等で構成されている。但し、ケース部材８４に形成した傾斜面８４ｃは必須のものではなく省略可能である。
【００８９】
コネクタ本体７１の右端部には前後向きの１つの段付き凸部７８が形成され、コネクタ本体７１の左端部には前後向きの２つの段付き凸部７８が形成され、これら段付き凸部７８には、第１盤側コネクタ７０Ｂのケース部材８４の筒状ケース８４ｂの後端を係止する段部７８ａが形成されている。以上のように、第１枠側コネクタ７０Ａをコネクタ取付壁８０ａと平行方向における上下方向と左右方向に可動に取り付け、上記のような案内機構７５を設けたため、遊技盤ユニット２０Ａを遊技盤保持枠４に前方から装着する装着動作に連動して第１枠側コネクタ７０Ａに第１盤側コネクタ７０Ｂを円滑に接続することができる。
【００９０】
次に、第２枠側コネクタ９０Ａとコネクタ保持体９０Ｂと第２盤側コネクタ９０Ｃについて説明する。図２８〜図３１、図３７〜図４０に示すように、第２枠側コネクタ９０Ａは、遊技盤保持枠４側のコネクタ取り付け部３０ａに付設されたコネクタ保持体９０Ｂに着脱可能に装着されている。コネクタ保持体９０Ｂに設けた１対の係止爪９２を介して第２枠側コネクタ９０Ａをコネクタ保持体９０Ｂに抜け止め可能に係止する係止機構９１が設けられ、第２枠側コネクタ９０Ａをコネクタ保持体９０Ｂに上下方向と左右方向に可動に取付ける第２可動取付け機構９３も設けられ、遊技盤ユニット２０Ａを遊技盤保持枠４に前方から装着する装着動作に連動して第２枠側コネクタ９０Ａに接続されるように第２盤側コネクタ９０Ｃが遊技盤ユニット２０Ａに設けられている。
【００９１】
コネクタ保持体９０Ｂと第２枠側コネクタ９０Ａは、コネクタ取り付け部３０ａの左半部のコネクタ取付壁８０ｂに取り付けられている。コネクタ取付壁８０ｂには、コネクタ保持体９０Ｂを装着するための装着穴９４が形成されている。
コネクタ保持体９０Ｂは、本体前部９５と本体後部９６とを備え且つ第２枠側コネクタ９０Ａが装着される装着穴９７を有する直方体状の成形品である。本体前部９５の左右両端部には第１，第２係合部９５ａ，９５ｂが形成され、第１，第２係合部９５ａ，９５ｂには凹部９５ｃが形成されている。
【００９２】
本体前部９５と本体後部９６の境界部には、左右方向に延びる上下１対の帯状弾性部９８がその両側のスリット９８ａを介して形成され、この帯状弾性部９８には外面側へ突出する凸部９８ｂが形成され、この凸部９８ｂの左端は上方又は下方ほど右方へ移行するように傾斜している。第１係合部９５ａと本体後部９６の間には上下１対の第１係合溝９９ａが形成され、第２係合部９５ｂと本体後部９６の間には上下１対の第２係合溝９９ｂが形成されている。装着穴９７の左右両端側には１対の係止爪９２が形成され、係止爪９２は左右方向へ弾性変形可能な爪本体９２ａと、この爪本体９２ａの後端に形成され且つ本体後部９６の後端壁面９６ａに係止可能な係止部９２ｂとを有する。
【００９３】
コネクタ保持体９０Ｂをコネクタ取付壁８０ｂに取り付ける際には、コネクタ保持体９０Ｂの本体後部９６を装着穴９４に挿入し、１対の帯状弾性部９８の凸部９８ｂを装着穴９４の周縁端面に当接させて帯状弾性部９８を弾性変形させた状態にしてから、コネクタ保持体９０Ｂを左方へ小距離スライドさせると、コネクタ取付壁８０ｂのうちの壁部９４ａが第１係合溝９９ａに係合し、壁部９４ｂが第２係合溝９９ｂに係合し、上下の凸部９８ａが装着穴９４の上下の凹部９４ｃに係合するため、コネクタ保持体９０Ｂが前後方向と左右方向に位置決めされて移動しないように位置規制される。
【００９４】
第２枠側コネクタ９０Ａは、前端側から順に、前端フランジ部１００と、この前端フランジ部１００から後方へ連なり且つ複数のピン穴１０１ａを形成したピン穴形成部１０１と、このピン穴形成部１０１の後端に連なる基部１０２と、後端フランジ部１０３とを有する。後端フランジ部１０３には複数の端子ピン１０３ａが後方へ突出するように設けられている。後端フランジ部１０３は１対の係止爪９２の弾性変形を介してコネクタ保持体９０Ｂの装着穴９７を通過可能に形成され、ピン穴形成部１０１と基部１０２は装着穴９７よりも細く形成されている。前端フランジ部１００には、後方ほど断面が小さくなる角錐台状のガイド穴１００ａが形成されている。
【００９５】
第２枠側コネクタ９０Ａをコネクタ保持体９０Ｂに装着した状態では、前端フランジ部１００が第１，第２係合部９５ａ，９５ｂの前面に当接し、前端フランジ部１００の後面側の１対の凸部１００ｂが１対の凹部９５ｃに遊嵌して当接し、ピン穴形成部１０１と基部１０２とが装着穴９７内に上下方向と左右方向に可動に装着され、後端フランジ部１０３が装着穴９７の後端外へ突出した状態になると共に１対の係止爪９２で抜け止めされた状態になる。但し、ピン穴形成部１０１と基部１０２とが装着穴９７内に上下方向と左右方向に可動に装着されると共に係止爪９２が左右方向に弾性変形可能であるため、第２枠側コネクタ９０Ａはコネクタ保持体９０Ｂに対して上下方向と左右方向に小距離可動になっている。これは、第２盤側コネクタ９０Ｃと確実に接続可能にするためである。
【００９６】
ここで、１対の係止爪９２と後端フランジ１０３と後端壁９６ａとで係止機構９１が構成されている。また、コネクタ保持枠体９０Ｂの装着穴９７に収容されるピン穴形成部１０１と基部１０２の上下幅を装着穴９７の上下幅よりも小さく形成し、ピン穴形成部１０１と基部１０２の左右幅を装着穴９７の左右幅よりも小さく形成すると共に１対の係止爪９２の弾性変形を介してピン穴形成部１０１と基部１０２を左右方向へ移動可能にした構成が第２可動取付け機構９３に相当する。
【００９７】
次に、第２盤側コネクタ９０Ｃについて説明する。
図３３、図３４に示すように、遊技盤ユニット２０Ａには、１対の枠側コネクタ９０Ａに接続可能な１対の第２盤側コネクタ９０Ｃが装備され、この第２盤側コネクタ９０Ｃは、コネクタ取り付け部３０ｂのコネクタ取付壁８０ｃから後方へ突出するように取り付けられている。第２盤側コネクタ９０Ｃは、複数の端子ピン１０４とケース部材１０５とを有し、ケース部材１０５の前端側のフランジ部１０５ａがコネクタ取付壁８０ｃに固定されている。第２盤側コネクタ９０Ｃはコネクタ取付壁８０ｃに直交状に取り付けられ、複数の端子ピン１０５がコネクタ取付壁８０ｃと直交方向に向けられている。また、ケース部材１０５の筒部１０５ａの先端には案内用の傾斜面が形成されている。
【００９８】
次に、以上説明したコネクタ７０Ａ，９０Ａ，７０Ｂ，９０Ｃとコネクタ取付構造を想到するに至った経緯について説明する。
特開２００６−２８０５８４号公報に記載の複数の枠側コネクタは、上下左右に僅かに移動可能に設けられているため、遊技盤ユニットを組み付ける際に、一部の盤側コネクタと一部の枠側コネクタとが衝突して円滑に接続できないことがあるため、遊技盤ユニットの組み付けと複数組のコネクタの接続に労力を要する場合があった。
【００９９】
しかも、枠側コネクタと盤側コネクタとの接続方向を遊技盤の盤面と直交方向に向くようにそれらコネクタを取り付けるのが普通であるが、その場合、前記の接続方向が遊技盤ユニット組み付け時の複数組のコネクタの移動方向と一致するとは限らず、複数組のコネクタを円滑に接続できない場合があった
【０１００】
次に、前記コネクタ７０Ａ，９０Ａ，７０Ｂ，９０Ｃとコネクタ取付構造の作用、効果について説明する。第１可動取付機構７２と案内機構７５を設けたため、遊技盤ユニット２０Ａの装着動作に連動して第１盤側コネクタ７０Ｂを第１枠側コネクタ７０Ａに確実に円滑に接続することができる。
【０１０１】
また、コネクタ保持体９０Ｂに装着した第２枠側コネクタ９０Ａを、係止機構９１の係止作用で抜け止めできると共に第２可動取付機構９３を介して第２枠側コネクタ９０Ａを上下方向と左右方向に可動に取り付けることができ、遊技盤ユニット２０Ａの装着動作に連動して第２枠側コネクタ９０Ａに第２盤側コネクタ９０Ｃを確実に円滑に接続することができる。
【０１０２】
枠側コネクタ７０Ａ，９０Ａに対する盤側コネクタ７０Ｂ，９０Ｃの接続方向を遊技盤２０の盤面と直交する方向に対して傾斜させたため、盤側コネクタ７０Ｂ，９０Ｃを遊技盤２０から後方に離隔した位置に配設した場合にも、遊技盤ユニット２０Ａを遊技盤保持枠４に装着する装着動作に連動して盤側コネクタ７０Ｂ，９０Ｃを枠側コネクタ７０Ａ，９０Ａに確実に接続することができる。
【０１０３】
遊技盤ユニット２０Ａを遊技盤保持枠４に装着する際に、遊技盤２０の左端部を中心として平面視にて反時計回り方向へ遊技盤２０を回動させるため、この回動動作と、遊技盤２０に対する盤側コネクタ７０Ｂ，９０Ｃの前後方向位置と、遊技盤２０の左端部から盤側コネクタ７０Ｂ，９０Ｃまでの回動半径を考慮してコネクタ接続時の接続方向を設定することで、枠側コネクタ７０Ａ，９０Ａと盤側コネクタ７０Ｂ，９０Ｃとを確実に円滑に接続可能にすることができる。
【実施例２】
【０１０４】
実施例２は、前記遊技盤取付け構造５０に前記トグルクランプ５３と異なる構造のトグルクランプ５３Ａを採用した場合の例である。トグルクランプ５３Ａ以外の構成は、実施例１と同様であるので、主にトグルクランプ５３Ａについて説明する。
【０１０５】
図４１に示すように、この遊技盤取付け構造は、遊技盤保持枠４と、１対の係合部材５１と、１対の板バネ部材（図示略）と、上下１対のトグルクランプ５３Ａとを備えている。図４２〜図４５は、クランプ状態のトグルクランプ５３Ａであって、遊技盤保持枠４の上辺部４ａに装備されたトグルクランプ５３Ａを示すものである。
【０１０６】
トグルクランプ５３Ａは、ベース部材１１０と、副クランプ部材１１１と、主クランプ部材１１２と、操作部材１１３と、１対のリンク部材１１４と、板バネ部材１１５と、第１〜第４枢支ピン１１６〜１１９を備えている。副クランプ部材１１１と主クランプ部材１１２とで、 遊技盤２０の上端部を導入する導入部６４Ａが形成されている。ベース部材１１０は、基板部１１０ａと１対の側板部１１０ｂとでコ字形に形成され、副クランプ部材１１１も基板部１１１ａと１対の側板部１１１ｂとでコ字形に形成され、主クランプ部材１１２も基板部１１２ａと１対の側板部１１２ｂとでコ字形に形成され、操作部材１１３も基板部１１３ａと１対の側板部１１３ｂとでコ字形に形成されている。
【０１０７】
副クランプ部材１１１はその後端部に１対の操作用突起部６５Ａを備え、副クランプ部材１１１の前後方向途中部がベース部材１１０の１対の側板部１１０ｂの下部に第１枢支ピン１１６で連結されている。主クランプ部材１１２は側面視でＬ形のもので、その１対の側板部１１２ｂの上端部が副クランプ部材１１１の１対の側板部１１１ｂの前端部に第２枢支ピン１１７で連結されている。主クランプ部材１１２の基板部１１２ａの下端部には操作部１１２ｃが形成されている。
【０１０８】
操作部材１１３の１対の側板部１１３ｂの下端部が第２枢支ピン１１７に連結され、操作部材１１３の基板部１１３ａには上方へ突出する操作部１１３ｃが形成されている。１対のリンク部材１１４の下端部が第３枢支ピン１１８で操作部材１１３の１対の側板部１１３ｂの後端部に連結され、１対のリンク部材１１４の上端部が第４枢支ピン１１９でベース部材１１０の１対の側板部１１０ｂに連結されている。
【０１０９】
板バネ部材１１５( 弾性部材に相当する) は、側面視でＬ形のもので、その上端板部１１５ａが副クランプ部材１１１の下面側に固定され、板バネ部材１１５の前端板部１１５ｂが主クランプ部材１１２の基板部１１２ａの前面に当接し、この板バネ部材１１５によって主クランプ部材１１２のクランプ部６６Ａを導入部６４Ａ側へ強力に弾性付勢し、この板バネ部材１１５を介して遊技盤２０の厚さのばらつきを吸収可能に構成してある。
【０１１０】
但し、副クランプ部材１１１の１対の側板部１１１ｂの前端側下端部に主クランプ部材１１２を受け止める１対の係止部１１１ｃが形成されているため、遊技盤２０を固定しない状態では主クランプ部材１１２は導入部６４Ａ側へ僅かに回動した状態に保持される。
但し、遊技盤２０を固定する状態では、主クランプ部材１１２が１対の係止部１１１ｃで係止されない状態になる。
【０１１１】
以上のトグルクランプ５３Ａにおいても、アンクランプ状態のとき、第１枢支ピン１１６と第３枢支ピン１１８を結ぶ線上またはその線よりもベース部材１１０側に第２枢支ピン１１７が位置するため、安定したアンクランプ状態を維持することができるから、このトグルクランプ５３Ａを採用した場合にも、実施例１と同様にして遊技盤ユニット２０Ａを遊技盤保持枠４に組み付けて遊技盤２０を固定することができる。
以上のトグルクランプ５３Ａ及び遊技盤取付け構造の作用、効果は実施例１とほぼ同様であるので、その説明は省略する。
【０１１２】
次に、前記実施例を部分的に変更する例について説明する。
（１）トグルクランプ５３に変更を加えて第１〜第３枢支ピン５８〜６０の位置関係が変更され、遊技盤２０の取り付け前に、上下のトグルクランプ５３を図１７に示すアンクランプ状態にして支持枠２及び遊技盤保持枠４を搬送手段で搬送する間に、搬送中の振動によりクランプ部材５５が回動して図１８に示すような下方向きの姿勢になる虞があるような場合には、ベース部材５４とクランプ部材５５の間に摩擦力を付加する為の次のような摩擦力付加機構を採用してもよい。
【０１１３】
第１の摩擦力付加機構として、ベース部材５４の左右両側において、ベース部材５４の下腕部６２とクランプ部材５５の側板５５ｂとの間で第１枢支ピン５８にスプリングワッシャを装着して下腕６２とクランプ部材５５間に摩擦力を付加する。
【０１１４】
第２の摩擦力付加機構として、ベース部材５４の左右の下腕部６２の先端部をクランプ部材５５側へ接近するように僅かに折り曲げて、その先端部をクランプ部材５５の側板５５ｂに常時接触させることで下腕部６２とクランプ部材５５間に摩擦力を付加する。
第３の摩擦力付加機構として、クランプ部材５５の左右の両方又は一方の側板５５ｂに小さな係合凸部を形成し、ベース部材５４の左右の両方又は一方の下腕６２に、アンクランプ状態のときに上記係合凸部に軽く係合する係合凹部を形成する。
【０１１５】
上記の摩擦力付加機構を設ける場合には、トグルクランプ５３を摩擦力によりアンクランプ状態に保持可能になるため、遊技盤ユニット２０Ａの組み付け時に、遊技盤２０の端部を導入部６４に円滑に導入して操作用突起部６５を後方へ押し、トグルクランプ５３をクランプ直前状態に切換えることができる。
尚、 以上の摩擦力付加機構はトグルクランプ５３Ａにも同様に適用可能である。
【０１１６】
（２）本実施例のトグルクランプは２つの例を示すもので、これらトグルクランプ以外の種々のトグルクランプも採用可能である。
【０１１７】
（３）第１，第２枠側コネクタ７０Ａ，９０Ａを雄側コネクタで構成し、第１，第２盤側コネクタ７０Ｂ，９０Ｃを雌側コネクタで構成してもよい。なお、コネクタ７０Ａ，９０Ａ，７０Ｂ，９０Ｃの構造は、前記実施例のものに限定されるものではなく、種々の構造のコネクタを採用可能である。
【０１１８】
（４）その他、当業者ならば、本発明の趣旨を逸脱しない範囲で前記実施例に種々の変更を付加した形態で実施することができる。
【符号の説明】
【０１１９】
１    パチンコ遊技機
４    遊技盤保持枠
２０  遊技盤
５４    ベース部材
５５    クランプ部材
５６    操作部材
５７    連結部材
５８    第１枢支ピン
５９    第２枢支ピン
６０    第３枢支ピン
６１    第４枢支ピン
【図１】
0005946863.tif 000002
【図２】
0005946863.tif 000003
【図３】
0005946863.tif 000004
【図４】
0005946863.tif 000005
【図５】
0005946863.tif 000006
【図６】
0005946863.tif 000007
【図７】
0005946863.tif 000008
【図８】
0005946863.tif 000009
【図９】
0005946863.tif 000010
【図１０】
0005946863.tif 000011
【図１１】
0005946863.tif 000012
【図１２】
0005946863.tif 000013
【図１３】
0005946863.tif 000014
【図１４】
0005946863.tif 000015
【図１５】
0005946863.tif 000016
【図１６】
0005946863.tif 000017
【図１７】
0005946863.tif 000018
【図１８】
0005946863.tif 000019
【図１９】
0005946863.tif 000020
【図２０】
0005946863.tif 000021
【図２１】
0005946863.tif 000022
【図２２】
0005946863.tif 000023
【図２３】
0005946863.tif 000024
【図２４】
0005946863.tif 000025
【図２５】
0005946863.tif 000026
【図２６】
0005946863.tif 000027
【図２７】
0005946863.tif 000028
【図２８】
0005946863.tif 000029
【図２９】
0005946863.tif 000030
【図３０】
0005946863.tif 000031
【図３１】
0005946863.tif 000032
【図３２】
0005946863.tif 000033
【図３３】
0005946863.tif 000034
【図３４】
0005946863.tif 000035
【図３５】
0005946863.tif 000036
【図３６】
0005946863.tif 000037
【図３７】
0005946863.tif 000038
【図３８】
0005946863.tif 000039
【図３９】
0005946863.tif 000040
【図４０】
0005946863.tif 000041
【図４１】
0005946863.tif 000042
【図４２】
0005946863.tif 000043
【図４３】
0005946863.tif 000044
【図４４】
0005946863.tif 000045
【図４５】
0005946863.tif 000046